【事件の表示】
　特許第３４２２８０２号「回転電機の固定子」の請求項１、２に係る特許に対する特許異議の申立てについて、次のとおり決定する。
【結　論】
　訂正を認める。
　特許第３４２２８０２号の請求項１ないし２に係る特許を維持する。
【理　由】
１．手続の経緯
　特許第３４２２８０２号の請求項１，２に係る発明についての出願は、平成４年２月２１日に特許出願され、平成１５年４月２５日にその発明について特許権の設定登録がされ、その後、その特許について、異議申立人澤新により特許異議の申立がされ、取消の理由が通知され、その指定期間内である平成１６年６月１５日に訂正請求がなされたものである。
　
２．訂正の適否についての判断
２．１　訂正の内容
特許権者が求めている訂正の内容は以下のとおりである。
　（１）訂正事項１　
　特許明細書の請求項１において、「・・・ティース鉄心の各ティース先端部を、該各ティース先端部間のスロット開口部がスロット絶縁体の開口部より大となる幅寸法に定めて形成すると共に」を「・・・ティース鉄心の各ティース先端部を、該各ティース先端部間のスロット開口部がスロット絶縁体の開口部より大となる幅寸法に定めて
Ｔ字形状に鋼板を打抜いて積層することにより
　（２）訂正事項２
　特許明細書の段落【００１３】（公報２頁４欄２８〜３１行）の「・・・ティース鉄心の各ティース先端部を、該各ティース先端部間のスロット開口部がスロット絶縁体の開口部より大となる幅寸法に定めて形成すると共に、」を「・・・ティース鉄心の各ティース先端部を、該各ティース先端部間のスロット開口部がスロット絶縁体の開口部より大となる幅寸法に定めて
Ｔ字形状に鋼板を打抜いて積層することにより
　（３）訂正事項３
　特許明細書の段落【００３０】【発明の効果】において、上記訂正事項と同様の訂正を行う。
　
２．２　訂正の目的の適否、新規事項の有無、及び特許請求の範囲の拡張、変更の存否
（１）訂正事項１について
　訂正事項１に関して、願書に添付した明細書（以下、「特許明細書」と呼ぶ。）の段落【００１９】（公報第５頁第５欄第１２〜１６行）には、「上記ティース鉄心は、詳細には、鋼板を所定形状に打抜いて積層することにより形成したもので、図２に示すように」と記載され、又図２によれば、ティース２５の先端部で回転方向両側にティース間のスロット開口部２７を狭めるように突出部が形成され、その形状がＴ字形状を連想することは、当業者において当然想起しうる形状と認められるから、上記訂正事項は特許明細書等に記載した事項の範囲内の訂正と認められる。
　それゆえ、この訂正は、特許請求の範囲の減縮に該当するものであって、新規事項の追加に該当せず、又、実質上特許請求の範囲を拡張し・変更するものでもない。
　
　（２）訂正事項２，３について
　これらの訂正事項は、訂正事項１の訂正に応じて特許請求の範囲の記載と発明の詳細な説明の記載の整合を取るための訂正であって、これらの訂正は特許明細書の記載の範囲内においてしたものであり、且つこれらの訂正により特許請求の範囲の記載を拡張・変更するものでもない。
　
２．３　むすび
　　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．特許異議の申立てについて
３．１　申立の理由の概要
　特許異議申立の概要は以下のとおりである。
 （１）請求項１，２に係る発明は、甲第１号証に記載された発明に基づき当業者が容易に発明をすることができたものであるから、特許法第２９条第２項の規定に該当し、同法第１１３条第２号の規定により取消されるべきである。
（２）請求項１，２に係る発明は、本件特許の出願前に出願された特願平４−２９７０２号（平成４年２月１７日出願）の願書に最初に添付された明細書又は図面（甲第２号証）に記載された発明と同一であって、本件特許の出願後に公開され、この特願平４−２９７０２号を先の出願とする優先権主張を伴う出願である特願平４−３２８９６７号（特開平６−６９５９号）の願書に最初に添付された明細書又は図面（甲第２号証）と同一であるから、特許法第２９条の２の規定に該当し、（同法４１条３項）、同法第１１３条第２号の規定により取り消されるべきものである。
　
３．２　本件発明
　上記２．３のように訂正が認められるから、本件の請求項１、２に係る発明（以下「本件発明１，２」という。）は、以下のとおりである。　
  【請求項１】　固定子鉄心がティース鉄心とヨーク鉄心とに分割され、そのティース鉄心が有するスロットにスロット絶縁体が内装されると共にこのスロット絶縁体内部にコイルが巻装して収容され、このティース鉄心にヨーク鉄心が組合わされて構成されるものにおいて、前記ティース鉄心の各ティース先端部を、該各ティース先端部間のスロット開口部がスロット絶縁体の開口部より大となる幅寸法に定めて
Ｔ字形状に鋼板を打抜いて積層することにより
　　【請求項２】　ティース鉄心のスロット開口部をティース間の中心部に設けたことを特徴とする請求項１記載の回転電機の固定子。
　
３．３　引用例
　　取消理由において通知した引用例は以下のとおりである。
（１）引用例１：特開平２−１４２３３１号公報（平成２年５月３１日公開、異議申立人の提示した甲第１号証）
  引用例１には、「第１図はこの発明の一実施例を示すステータの平面図、第２図は同じくスロット内部に絶縁を施したステータの平面図、第３図は同じく巻線が巻回されたステータの平面図であり、図において（１０）は外輪部を形成するヨーク部（図示せずと同心状に設けられたリング、（１１）はこのリングの外周より四方に突設され、その先端部が上記ヨーク部に固着される磁極片Ａ、（１２）は磁極片Ｂで、上記磁極片Ａ（１１）において対向する一対の磁極片Ａ（１１）に所定間隔を有して挟むように複数個設けられている。（１３）〜（２０）はこの磁極片Ｂ、上記Ａ（１１）および上記リング（１０）よりなるステータ（２１）のスロットＡ〜Ｈを示す。（２２）はこの各スロット内に設けられた絶縁樹脂、（２３）、（２４）は上記ステータ（２１）に巻回された巻線Ａ、巻線Ｂ、（２５）はこの巻線Ａ，巻線Ｂおよび上記ステータ（２１）からなる固定子である。上記のように構成された電動機の固定子鉄心」（明細書２頁左上欄１７行〜右上欄１４行）との記載がある。
　上記記載および図面の記載によれば、以下のことが明かである。
　ａ．図２，３の記載によれば、ステータ（２１）の磁極片（１１）、（１２）の先端部でのスロット（１３）〜（２０）の開口部の幅は、スロット（１３）〜（２０）内に設けられた絶縁樹脂（２２）の開口部の幅よりも広く形成されている点。
　ｂ．この絶縁樹脂（２２）の開口部は、該絶縁樹脂が設けられている磁極片間の中心部よりも片側に寄せて設けられている点。
　
　したがって、これらの点を考慮すると引用例１には、
「固定子鉄心が外輪部を形成するヨーク部とステータ鉄心とに分割され、そのステータ鉄心が有するスロットに絶縁樹脂が内装されると共にこの絶縁樹脂内部に巻線が巻装して収容され、このステータ鉄心にヨーク部が組合わされて構成されるものにおいて、前記ステータ鉄心の各磁極片先端部を、該各磁極片先端部間のスロット開口部が前記絶縁樹脂の開口部より大となる幅寸法に定めて形成すると共に、前記絶縁樹脂の開口部を磁極片間の中心部より片側に寄せて設けたことを特徴とする回転電機の固定子。」の発明（以下「引用発明」という。）が記載されているものと認められる。
　
（２）引用例２：特願平４−２９７０２号（平成４年２月１７日出願、以下「先の出願」という。）の願書に最初に添付された明細書又は図面（以下「先の出願の明細書等」という。）
　上記先の出願の明細書等には、以下の記載がある。
「   【００２１】　
　　【実施例】
　図１〜図１２はこの発明の一実施例を示す図であり、図において５はヨーク部で、・・・固定子鉄心６の外輪部を形成する。・・・７は上記ヨーク部５内周より中心方向へスロット８を形成して突設された複数の磁極片で、・・・これらの磁極片７が複数等間隔に集合され内輪磁極部１０が形成される。１１はこの内輪磁極部を覆うように例えば射出成形により設けられた絶縁部で、上記スロット８および内輪磁極部１０の端面１２に成形固着されている。１３は上記内輪磁極部１０の一方の端面１４に成形固着された絶縁樹脂で、上記絶縁部１０と一体に成形されその形状は漏斗状にて形成され、先端に円形からなる第１の回転軸貫通口１５が設けられている。１６はこの第１の回転軸貫通口と一体に上記内輪磁極部１０の周端に突設されたコイルガードで、上記磁極片７の先端に位置し、巻線用ガイドとなる。１７は上記内輪磁極部１０内に設けられる回転子で、中央に回転軸１８が嵌通されている。１９は絶縁カバーで、
単独にて巻線用ガイドとなる複数の巻枠柱２０を周設した漏斗状に成形され、中央に上記内輪磁極部１０および第１の回転軸貫通口１５と連通され、円形からなる第２の回転軸貫通口２１を有している。この絶縁カバーは内輪磁極部１０の端面１２に着脱自在に装着され、これにより上記回転子１７の導体部であるエンドリング２２は外部と絶縁される。なお、上記巻枠柱２０は上記内輪磁極部１０を四等分する位置する配設され内輪磁極部１０の中心側に位置する内側ポール２３と、この内側ポールに対向するように内輪磁極部１０の外側に位置する外側ポール２４とより構成され、いずれも内輪磁極部１０内径内上に配設されるとともに上記コイルガード１６より内輪磁極部１０中心側に位置される。なお、この内側ポール２３は内輪磁極部１０にも上記絶縁樹脂１３と一体に成形されたコイルガード１６より内輪磁極部１０内側に設けられている。２５はピン本体で、上記巻枠柱２０の先端に挿入されるもので、上記内側ポール２３には所定間隔にて複数本が装着され、後述されるコイルの端末部および電源リード線が接続される。２６はコイルで、・・」
　上記記載によれば、以下のことが明かである。
　ａ．内輪磁極部１０は複数等間隔に集合されて内輪磁極部を覆うように絶縁部１１で射出成形されている点。
　ｂ．内輪磁極部１０の磁極片７の先端部でのスロット８の開口部の幅が内輪磁極部の周端に設けられたコイルガード１６間の開口部よりも広くなるように形成されている点。
　ｃ．絶縁部１１と内輪磁極部１０の一方の端面１４に成形固着された絶縁樹脂１３及びコイルガード１６は一体に形成されている点。この構成により、巻線時の磁極片に対する絶縁作用をしていることは明かである。
　ｄ．コイルガード１６の開口部は、スロット８の両側の磁極片の内の巻線の巻回されない磁極片側に寄せて設けられている点。
　ｅ．図４の記載によれば、複数の磁極片７は同程度の幅であるから、該磁極片間に形成されることになるスロット８の開口部は磁極片間の中心部に設けられている点。
  したがって、先の出願の明細書等には、
「固定子鉄心が内輪磁極部と外輪ヨーク部とに分割され、その内輪磁極部が有するスロットに絶縁部、絶縁樹脂及びコイルガードが内装されると共に、この絶縁部、絶縁樹脂及びコイルガードにコイルが巻装して収容され、この内輪磁極部に外輪ヨーク部が組合わされて構成されるものにおいて、前記内輪磁極部の各磁極片先端部を、該各磁極片先端部間のスロット開口部がコイルガードの開口部より大となる幅寸法に定めて形成すると共に、コイルガードの開口部をティース間の中心部より片側に寄せて設けると共に、磁極片間に形成されることになるスロットの開口部は磁極片間の中心部に設けたことを特徴とする回転電機の固定子。」の発明（以下「先願発明」という。）が記載されているものと認められる。」
　
（３）引用例３：特願平４−３２８９６７号（平成４年１１月１６日出願、特願平４年２９７０２号を優先権主張の基礎とした出願、特開平６−６９５９号として平成６年１月１４日公開）の願書に最初に添付された明細書又は図面（以下「後の出願の明細書等」という。）
　後の出願の明細書等の段落００４８〜００５１および図１〜６、１１には、上記（２）において先の出願の明細書等から摘記した事項の全てが記載されているので、該後の出願の明細書等には先の出願の明細書等で認定した発明が記載され、且つ本件出願後に公開されたものと認められる。
　
３．４　対比・判断
（１）特許法第２９条２項について
【本件発明１について】
　本件発明１と引用発明を対比すると、引用発明の「ステータ」、「ヨーク部」、「ステータ鉄心」、「（スロット内に設けられた）絶縁樹脂」、「巻線」、「磁極片」、「絶縁樹脂の開口部」は本件発明１の「固定子」、「ヨーク鉄心」、「ティース鉄心」、「スロット絶縁体」、「コイル」、「ティース」、「スロット絶縁体の開口部」にそれぞれ相当するから、両者は
  固定子鉄心がティース鉄心とヨーク鉄心とに分割され、そのティース鉄心が有するスロットにスロット絶縁体が内装されると共にこのスロット絶縁体内部にコイルが巻装して収容され、このティース鉄心にヨーク鉄心が組合わされて構成されるものにおいて、前記ティース鉄心の各ティース先端部を、該各ティース先端部間のスロット開口部がスロット絶縁体の開口部より大となる幅寸法に定めて形成すると共に、スロット絶縁体の開口部をティース間の中心部より片側に寄せて設けたことを特徴とする回転電機の固定子。」で一致し、本件発明１が各ティースについて「
Ｔ字形状に鋼板を打抜いて積層することにより
  上記相違点１について検討する。
  本件発明に対する従来例（特開昭６４−３４１５１号公報）のように、一つ置きのティースの先端部の幅寸法をかなり大きくして、スロット容積の有効利用を図ると共に、コイルのスロット開口部外へのはみ出しがないようにした場合は、一つ置きのティース鉄心の幅がかなり大となってしまい、種々の不都合（変形、異常音の発生、特性の悪化等）が生じることになる。本件発明はこのような課題を克服するため、特に各ティース先端部両側の部分に変形（そり）が生じるとの課題を解決しつつ、スロット容積の有効利用を図るものであると認められる。
　しかしながら、引用発明の目的は、巻線の渡り長が短く、巻回高さを低くおさえると共に、巻線使用量が少ない電動機の固定子鉄心を得ることであって、そのため、ヨーク部と結合する磁極片の外方端部の形状まで規定しておらず（図１〜３によればストレート形状と認められる。）。
　そして、引用発明において、積層鉄心を用いることは引用例の従来例に記載されているように当然のことであり、かつ電動機（回転電機）の鉄心を鋼板を打ち抜いて形成することも慣用手段にすぎないが、本件発明１のように磁極片先端部（ティース先端部）をＴ字状に形成する必然性も、示唆も認められない。そして、引用発明において、その磁極片の先端部をＴ字状に形成することが、当業者において容易になし得るとの根拠も認められない。
　したがって、本件発明１は、引用発明に基づいて当業者が容易に発明をすることができたものではない。
　
【本件発明２について】
　本件発明２と引用発明を対比すると、本件発明２は本件発明１を引用し、その構成要件を全て備えているから、上記のように本件発明１が引用発明から容易に発明をすることができない以上、他の構成要件を検討するまでもなく、本件発明２も同じく引用発明に基づいて容易に発明をすることができないものと認められる。
　　
（２）特許法第２９条の２について
 【本件発明１、２について】
　 先願発明と本件発明１、２を対比すると、先願発明の「固定子鉄心」、「外輪ヨーク部」、「内輪磁極部」、「磁極片」は 本件発明１、２の「固定子」、「ヨーク鉄心」、「ティース鉄心」、「ティース」にそれぞれ相当し、また、先願発明の「絶縁部」と「絶縁樹脂」及び「コイルガード」が本件発明１、２の「スロット絶縁体」に相当し、さらの先願発明の「コイルガードの開口部」が本件発明１、２の「スロット絶縁体の開口部」に相当するから、本件発明１，２がティース先端部について「Ｔ字形状に鋼板を打抜いて積層することにより形成する」との構成を備えているのに対し、先願発明はこのような規定をしていない点で相違し、他の点は一致しているものと認められる。
　そして、上記相違点に係る構成は、先願発明において、自明な事項とも認められない。
　したがって、本件発明１，２と先願発明は同一であるとは認められない。
　
３．５　むすび
 以上のとおりであるから、特許異議の申立ての理由（３．１−（１）、（２）参照）によっては本件発明１，２についての特許を取り消すことはできない。
　また、他に本件発明１，２についての特許を取り消すべき理由を発見しない。
　したがって、本件発明１，２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１６年９月１６日（２００４．９．１６）
【訂正の要旨】
審決（決定）の【理由】欄参照。
（５４）【発明の名称】
回転電機の固定子
（５７）【特許請求の範囲】
　【請求項１】　固定子鉄心がティース鉄心とヨーク鉄心とに分割され、そのティース鉄心が有するスロットにスロット絶縁体が内装されると共にこのスロット絶縁体内部にコイルが巻装して収容され、このティース鉄心にヨーク鉄心が組合わされて構成されるものにおいて、前記ティース鉄心の各ティース先端部を、該各ティース先端部間のスロット開口部がスロット絶縁体の開口部より大となる幅寸法に定めて
Ｔ字形状に鋼板を打抜いて積層することにより
　【請求項２】　ティース鉄心のスロット開口部をティース間の中心部に設けたことを特徴とする請求項１記載の回転電機の固定子。
【発明の詳細な説明】
　【０００１】
　【産業上の利用分野】　本発明は、固定子鉄心がティース鉄心とヨーク鉄心とに分割して構成される回転電機の固定子に関する。
　【０００２】
　【従来の技術】　従来より、固定子鉄心がティース鉄心とヨーク鉄心とに分割して構成される回転電機の固定子として、例えば特開平２−２６１０２８号公報、特開平２−２８５９５４号公報、及び特開平３−１８２５１号公報に示されるものが知られている。
　【０００３】
　これらのものは、図４及び図５に示すごとくで、固定子鉄心１がティース鉄心２とヨーク鉄心３とに分割して構成され、そのティース鉄心２が有するスロット４には、それぞれスロット絶縁体５が内装されると共に、このスロット絶縁体５内部にコイル６が収容され、かかるティース鉄心２にヨーク鉄心３が組合わされている。
　【０００４】
　しかして、このものの場合、上記スロット絶縁体５内部へのコイル６の収容を巻線機で行なったとき、図６に示すように、コイル６は例えば二つのスロット４ｃ，４ｄを隔てた二つのスロット４ａ，４ｂにその各スロット開口部７ａ，７ｂから入れられてティース８ａ，８ｂを抱くように巻装されるもので、そのティース８ａ，８ｂ部分からそれぞれ反対側のティース８ｃ，８ｄ側に順次その巻厚を増す。そして、その巻厚がある程度に達したところで、コイル６はスロット開口部７ａ，７ｂを塞ぐほどになり、スロット絶縁体５ａ，５ｂ内にかなりのスペースを余しているにもかかわらず、それ以上コイル６を収容することができなくなって、スロット容積の有効使用が図れないという問題を呈していた。
　【０００５】
　又、この場合、スロット絶縁体５ａ，５ｂ内に収容し切れないコイル６がスロット開口部７ａ，７ｂ外にはみ出ることにより、品質が高く得られないという問題点をも有していた。
　【０００６】
　そこで、特開昭６４−３４１５１号公報に示すようにしたものがある。このものは、図７に示すごとくで、スロット開口部９とスロット絶縁体１０の開口部１１とをティース１２間の中心部より片側（スロット開口部９ａ及びスロット絶縁体１０ａの開口部１１ａの場合はティース１２ｃ側、スロット開口部９ｂ及びスロット絶縁体１０ｂの開口部１１ｂの場合はティース１２ｄ側）に寄せて設けたものであり、コイル６の巻厚がある程度に達しても、該コイル６がスロット開口部９ａ，９ｂを塞ぐことがなく、よって、スロット絶縁体５ａ，５ｂ内に続けて多くのコイル６を収容でき、スロット容積の有効使用を図り得ると共に、コイル６のスロット開口部９ａ，９ｂ外へのはみ出しもなくし得、品質の向上を達成することができる。
　【０００７】
　【発明が解決しようとする課題】
　しかしながら、上述のようにしたものでは、一つ置きのティース１２（１２ａ，１２ｂ）の先端部の幅寸法Ａがかなり大となってしまい、この部分でティース鉄心２のヨーク鉄心３に対する接触面積が大となることから、それらティース鉄心２及びヨーク鉄心３を組合わせるときに、ヨーク鉄心３がティース鉄心２に嵌まりにくく、ティース鉄心２の外周部やあるいはヨーク鉄心３の内周部に変形を来たして、特性の悪化、異常音の発生といった問題を惹起していた。
　【０００８】
　又、上述のように幅寸法Ａの大なるティース１２の先端部は細長い形状となるから、それによって、上記ティース鉄心２及びヨーク鉄心３の組合わせ時に剥がれやすくなり、特性の悪化、異常音の発生といった問題を一層惹起する原因となっていた。
　【０００９】
　更に、ティース鉄心２は、一般に鋼板を所定形状に打抜いて積層することにより形成されているが、その打抜きの折り、上述のように幅寸法Ａが大で細長い各ティース１２の先端部両側の部分には変形（そり）が生じやすく、これによっても、特性の悪化、異常
音の発生といった問題を惹起していた。
　【００１０】
　加えて、幅寸法Ａが大で細長いティース１２を有したティース鉄心２用の鋼板を打抜く型は、その製作が困難で、コスト高となる問題点を有していた。
　【００１１】
　なお、先の図４ないし図６に示したものでは、上記図７に示したもののティース１２よりティース８の先端部の幅寸法を小さく留め得るが、しかし、それでもそのティース８の先端部の幅寸法は大きく、従って、上述ほどではなくとも、それに近い程度の問題点を
同様に有していた。
　【００１２】
　本発明は上述の事情に鑑みてなされたものであり、従ってその目的は、コイルの巻装収容について、スロット容積の有効使用並びに品質の向上を達成し得るばかりでなく、特にはそれを、特性の悪化や異常音の発生、更にはコストアップといった問題を惹起せずに達成し得る回転電機の固定子を提供するにある。
　【００１３】
　【課題を解決するための手段】
　上記目的を達成するために、本発明の回転電機の固定子においては、固定子鉄心がティース鉄心とヨーク鉄心とに分割され、そのティース鉄心が有するスロットにスロット絶縁体が内装されると共にこのスロット絶縁体内部にコイルが巻装して収容され、このティース鉄心にヨーク鉄心が組合わされて構成されるものにあって、上記ティース鉄心の各ティース先端部を、該各ティース先端部間のスロット開口部がスロット絶縁体の開口部より大となる幅寸法に定めて
Ｔ字形状に鋼板を打抜いて積層することにより
　【００１４】
　【作用】
　上記手段によれば、スロット開口部がスロット絶縁体の開口部より大で、そのスロット開口部の範囲内でスロット絶縁体の開口部をティース間の中心部より片側に寄せて設けたことにより、そのスロット絶縁体の開口部よりスロット絶縁体内に収容して巻回したコイルの巻厚がある程度に達しても、該コイルがスロット絶縁体の開口部を塞ぐことがなく、よって、スロット絶縁体内に続けて多くのコイルを収容できると共に、コイルのスロット絶縁体開口部外へのはみ出しをも生じないようにできる。
　【００１５】
　そして、この場合、スロット開口部をスロット絶縁体の開口部より大とするのは、ティース鉄心の各ティース先端部をそのような幅寸法に定めて形成することによるものであり、それは、すなわちティース鉄心の各ティース先端部を幅寸法小さく形成することを意味する。
　【００１６】しかして、このように幅寸法小さく形成したティース鉄心の各ティース先端部では、ヨーク鉄心との組合わせの折りの該ヨーク鉄心との接触面積を減少させ得、又、ティース鉄心の各ティース先端部自体、短くできる。加えて、ティース鉄心のスロット開口部をティース間の中心部に設けたものでは、ティース鉄心の各ティース先端部を揃いの大きさで短くできる。
　【００１７】
　【実施例】
　以下、本発明の一実施例につき、図１ないし図３を参照して説明する。
　【００１８】
　まず図１には固定子鉄心２１を示しており、ティース鉄心２２とヨーク鉄心２３とに分割して形成し、それらを嵌合により組合わせて構成している。
　【００１９】
　上記ティース鉄心２２は、詳細には、鋼板を所定形状に打抜いて積層することにより形成したもので、図２に示すように、リング部２４の周囲にティース２５を放射状に多数有し、各ティース２５間にスロット２６を有している。又、スロット２６には、図３に示すように、その内周部からスロット開口部２７にかけて、スロット絶縁体２８を例えば合成樹脂モールドにより一体に内装している。
　【００２０】
　ここで、上記ティース鉄心２２の各ティース２５の先端部は幅寸法がＢで、スロット開口部２７は幅寸法がＣ、スロット絶縁体２８の開口部２９は幅寸法がＤであり、Ｃ＞Ｄ、すなわち、スロット開口部２７の幅寸法がスロット絶縁体２８の開口部２９のそれより大となるように、各ティース２５の先端部を幅寸法Ｂに定めて形成している。又、この場合、そのスロット開口部２７は各ティース２５間の中心部に設け、スロット絶縁体２８の開口部２９は各ティース２５間の中心部より片側に寄せて設けている。
　【００２１】
　しかして、上記スロット２６のスロット絶縁体２８内部の位置には、スロット開口部２７及びスロット絶縁体２８の開口部２９から、コイル３０，３１を図１に示すように巻装して収容しており、この状態で、その各コイル３０，３１とスロット絶縁体２８の開口部２９との間に絶縁ウェッジ３２を挿入し、そして、ティース鉄心２２に前記ヨーク鉄心２３を組合わせている。
　【００２２】
　このように本構成のものでは、スロット開口部２７がスロット絶縁体２８の開口部２８より大で、そのスロット開口部２７の範囲内でスロット絶縁体２８の開口部２９をティース２５間の中心部より片側に寄せて設けたことにより、そのスロット絶縁体２８の開口部２９よりスロット絶縁体２８内に収容して巻回したコイル３０，３１の巻厚がある程度に達しても、該コイル３０，３１がスロット絶縁体２８の開口部２９を塞ぐことがなく、よって、スロット絶縁体２８内に続けて多くのコイル３０，３１を収容でき、かくして、スロット容積の有効使用を図ることができる。
　【００２３】
　又、この場合、コイル３０，３１のスロット絶縁体開口部２９外へのはみ出しも生じないようにできるから、品質の向上を達成することができる。
　【００２４】
　そして、上述のようにスロット開口部２７をスロット絶縁体２８の開口部２９より大とするのは、本構成の場合、ティース鉄心２２の各ティース２５先端部をそのような幅寸法Ｂに定めて形成したことによるものであり、それは、すなわち、ティース鉄心２２の各ティース２５先端部を、従来のティース１２先端部より幅寸法小さく形成したことを意味するもので、このように幅寸法小さく形成したティース鉄心２２の各ティース２５先端部では、ヨーク鉄心２３との組合わせの折りの該ヨーク鉄心２３との接触面積を減少させることができる。よって、ヨーク鉄心２３をティース鉄心２２に嵌めやすくでき、ティース鉄心２２の外周部やあるいはヨーク鉄心２３の内周部に変形を来たすことがなくなるから、特性の悪化、異常音の発生といった問題も惹起しないようにできる。
　【００２５】
　又、ティース鉄心２２の各ティース２５先端部自体、周方向に短くできるもので、かように先端部を短くしたティース２５によると、従来のティース１２の細長い先端部と違って、ティース鉄心２２及びヨーク鉄心２３の組合わせ時に剥がれず、特性の悪化、異常音の発生といった問題をより確実に解決することができる。
　【００２６】
　更に、ティース鉄心２２用の鋼板を所定形状に打抜く折り、上述のように短くしたティース２５の先端部によると、これも従来のティース１２の細長い先端部と違って、変形（そり）が生じず、従ってこれによっても、特性の悪化、異常音の発生といった問題を更に
確実に解決することができる。
　【００２７】
　加えて、上述のように短くしたティース２５の先端部によると、ティース鉄心２２用の鋼板を打抜く型は、その製作が容易にでき、コスト安にできる。更に、上記構成のものでは、ティース鉄心２２のスロット開口部２７をティース２５間の中心部に設けており、これによって、ティース鉄心２２の各ティース２５先端部の周方向の長さを従来のティース８先端部のそれよりも短くでき、特には、揃いの大きさで短くできる。従って、各ティース２５先端部の長さが不揃いのものより、ティース鉄心２２用の鋼板を打抜く型の製作が一段と容易にでき、一層コスト安にできる。
　【００２８】
　なお、スロット絶縁体２８は、前述の合成樹脂モールドによりスロット２６に一体に内装されたものに限られず、別体にてスロット２６に挿入することにより内装されるものであっても良い。
　【００２９】
　そのほか、本発明は上記し且つ図面に示した実施例にのみ限定されるものではなく、要旨を逸脱しない範囲内で適宜変更して実施し得る。
　【００３０】
　【発明の効果】以上の記述で明らかなように、本発明の回転電機の固定子は、固定子鉄心がティース鉄心とヨーク鉄心とに分割され、そのティース鉄心が有するスロットにスロット絶縁体が内装されると共にこのスロット絶縁体内部にコイルが巻装して収容され、このティース鉄心にヨーク鉄心が組合わされて構成されるものにおいて、上記ティース鉄心の各ティース先端部を、該各ティース先端部間のスロット開口部がスロット絶縁体の開口部より大となる幅寸法に定めて
Ｔ字形状に鋼板を打抜いて積層することにより
【図面の簡単な説明】
　【図１】本発明の一実施例を示す部分断面図
　【図２】ティース鉄心単体の部分平面図
　【図３】ティース鉄心のスロット絶縁体を内装した状態での部分平面図
　【図４】従来例を示す図１相当図
　【図５】図３相当図
　【図６】コイル収容途中の状態での図３相当図
　【図７】異なる従来例を示す図６相当図
　【符号の説明】
　２１は固定子鉄心、２２はティース鉄心、２３はヨーク鉄心、２５はティース、２６はスロット、２７はスロット開口部、２８はスロット絶縁体、２９はスロット絶縁体の開口部、３０，３１はコイル、Ｂはティースの先端部の幅寸法、Ｃはスロット開口部の幅寸法、Ｄはスロット絶縁体の開口部の幅寸法を示す。